(57)【要約】      （修正有）【課題】ハンズフリー通話品質を向上させる方法を提供する。【解決手段】端末がハンズフリー通話を開始した場合に、端末が位置しているシナリオの情報を取得する（１０１）。シナリオ情報に基づいて、端末の音声品質プリセット値及びラウドネス利得値を取得する（１０２）。取得された音声品質プリセット値及びラウドネス利得値に基づいて、端末の音声品質及びラウドネスをそれぞれ調節する（１０３）。【選択図】図１
2014090409.tif 000002
【特許請求の範囲】
【請求項１】
端末がハンズフリー通話を開始した場合、前記端末が位置しているシナリオの情報を取得し、
前記シナリオ情報に基づいて、前記端末の音声品質プリセット値及びラウドネス利得値を取得し、
取得された音声品質プリセット値及びラウドネス利得値に基づいて、前記端末の音声品質及びラウドネスをそれぞれ調節すること
を含む、音声品質及びラウドネスを制御する方法。
【請求項２】
前記端末が位置しているシナリオの情報を取得することは、
前記端末のカメラを起動して、前記端末を使用しているユーザが位置しているシナリオの情報を撮影すること
を含む、請求項１に記載の方法。
【請求項３】
前記端末が位置しているシナリオの情報を取得することは、
前記端末の赤外線センサを起動して、前記端末を使用しているユーザが位置しているシナリオの情報を、前記赤外線センサによって取得された温度情報に基づいて取得すること
を含む、請求項１に記載の方法。
【請求項４】
前記シナリオ情報に基づいて、前記端末の音声品質プリセット値及びラウドネス利得値を取得することは、
前記シナリオ情報に一致する音声品質プリセット値及びラウドネス利得値をローカルに検索すること、又は、
前記シナリオ情報をネットワーク側にアップロードして、前記シナリオ情報に一致する音声品質プリセット値及びラウドネス利得値を前記ネットワーク側が検索することを可能にし、
前記シナリオ情報に一致する、かつ、前記ネットワーク側によって返された、前記音声品質プリセット値及び前記ラウドネス利得値を受信すること
を含む、請求項１〜３のいずれか一項に記載の方法。
【請求項５】
前記端末の音声品質プリセット値及びラウドネス利得値は、スピーカの音声品質プリセット値及びラウドネス利得値、並びに、マイクロフォンの音声品質プリセット値及びラウドネス利得値を含む、請求項１〜４のいずれか一項に記載の方法。
【請求項６】
端末がハンズフリー通話を開始した場合に、前記端末が位置しているシナリオの情報を取得するように構成された、第１の取得モジュールと、
前記シナリオ情報に基づいて、前記端末の音声品質プリセット値及びラウドネス利得値を取得するように構成された、第２の取得モジュールと、
取得された音声品質プリセット値及びラウドネス利得値に基づいて、前記端末の音声品質及びラウドネスをそれぞれ調節するように構成された、調節モジュールと
を備える、音声品質及びラウドネスを制御する装置。
【請求項７】
前記第１の取得モジュールは、
前記端末のカメラを起動して、前記端末を使用しているユーザが位置しているシナリオの情報を撮影するように構成された、第１の起動ユニット
を備える、請求項５に記載の装置。
【請求項８】
前記第１の取得モジュールは、
前記端末の赤外線センサを起動して、前記端末を使用しているユーザが位置しているシナリオの情報を、前記赤外線センサによって取得された温度情報に基づいて取得するように構成された、第２の起動ユニット
を備える、請求項５に記載の装置。
【請求項９】
前記第２の取得モジュールは、
前記シナリオ情報に一致する音声品質プリセット値及びラウドネス利得値をローカルに検索するように構成された、検索ユニット、又は、
前記シナリオ情報をネットワーク側にアップロードして、前記シナリオ情報に一致する音声品質プリセット値及びラウドネス利得値を前記ネットワーク側が検索することを可能にするように構成された、アップロードユニットと、
前記シナリオ情報に一致する、かつ、前記ネットワーク側によって返された、前記音声品質プリセット値及び前記ラウドネス利得値を受信するように構成された、受信ユニットと
を備える、請求項６〜８のいずれか一項に記載の装置。
【請求項１０】
前記端末の音声品質プリセット値及びラウドネス利得値は、スピーカの音声品質プリセット値及びラウドネス利得値、並びに、マイクロフォンの音声品質プリセット値及びラウドネス利得値を含む、請求項６〜９のいずれか一項に記載の装置。
【発明の詳細な説明】
【技術分野】
【０００１】
本発明は、通信技術の分野に関し、特に、音声品質及びラウドネスを制御する方法及び装置に関する。
【背景技術】
【０００２】
会議電話及びハンドヘルド装置が広く普及した時勢の中で、電話、パッド、又はその他の小型装置の通話性能に対する要求が増加している。特に、多くのユーザは、今日では、ハンズフリー通話を、利便性のために、又はいくつかの特別なシナリオにおいて使用する必要があり、これにより、ハンズフリー通話品質に対する要求が増加している。しかし、ハンズフリー通話を使用する場合、ユーザが位置しているシナリオ内の雑音が、ハンズフリー通話の品質に大きな影響を及ぼし、従って、ハンズフリー通話の間の音声品質及びラウドネスをどのようにして保証するかの解決法が求められている。
【０００３】
従来技術では、ハンズフリー通話の音量を制御するための自動音量制御技術が提供されている。この方法では、現在の雑音レベルを伴う話者がユーザに聞こえることを確実にするために、応答する声の、対応する音量が、環境の雑音レベルに応じて自動的に設定される。
【０００４】
しかし、従来技術における自動音量制御技術では、音量のユーザ体験を保証するために、声の音量のみが増加させられる。しかしながら、音量は声の一部にすぎず、声の品質を更に強化して、ハンズフリー通話のユーザ体験を向上させる必要がある。
【発明の概要】
【発明が解決しようとする課題】
【０００５】
ハンズフリー通話のユーザ体験を向上させるために、本発明の実施形態は、音声品質及びラウドネスを制御する方法及び装置を提供する。技術的解決法は、以下の通りである。
【課題を解決するための手段】
【０００６】
第１の態様では、音声品質及びラウドネスを制御する方法が提供され、この方法は、端末がハンズフリー通話を開始した場合、端末が位置しているシナリオの情報を取得し、シナリオ情報に基づいて、端末の音声品質プリセット値及びラウドネス利得値を取得し、取得された音声品質プリセット値及びラウドネス利得値に基づいて、端末の音声品質及びラウドネスをそれぞれ調節することを含む。
【０００７】
第１の態様の第１の可能な実施手法では、端末が位置しているシナリオの情報を取得することは、
端末のカメラを起動して、端末を使用しているユーザが位置しているシナリオの情報を撮影することを含む。
【０００８】
第１の態様の第２の可能な実施手法では、端末が位置しているシナリオの情報を取得することは、
端末の赤外線センサを起動して、端末を使用しているユーザが位置しているシナリオの情報を、赤外線センサによって取得された温度情報に基づいて取得することを含む。
【０００９】
第１の態様、又は、第１の態様の第１の可能な実施手法、又は、第１の態様の第２の可能な実施手法と組み合わせて、第１の態様の第３の可能な実施手法では、シナリオ情報に基づいて、端末の音声品質プリセット値及びラウドネス利得値を取得することは、
シナリオ情報に一致する音声品質プリセット値及びラウドネス利得値をローカルに検索すること、又は、
シナリオ情報をネットワーク側にアップロードして、シナリオ情報に一致する音声品質プリセット値及びラウドネス利得値をネットワーク側が検索することを可能にし、
シナリオ情報に一致する、かつ、ネットワーク側によって返された、音声品質プリセット値及びラウドネス利得値を受信することを含む。
【００１０】
第２の態様では、音声品質及びラウドネスを制御する装置が提供され、この装置は、
端末がハンズフリー通話を開始した場合に、端末が位置しているシナリオの情報を取得するように構成された、第１の取得モジュールと、
シナリオ情報に基づいて、端末の音声品質プリセット値及びラウドネス利得値を取得するように構成された、第２の取得モジュールと、
取得された音声品質プリセット値及びラウドネス利得値に基づいて、端末の音声品質及びラウドネスをそれぞれ調節するように構成された、調節モジュールとを含む。
【００１１】
第２の態様の第１の可能な実施手法では、第１の取得モジュールは、
端末のカメラを起動して、端末を使用しているユーザが位置しているシナリオの情報を撮影するように構成された、第１の起動ユニットを含む。
【００１２】
第２の態様の第２の可能な実施手法では、第１の取得モジュールは、
端末の赤外線センサを起動して、端末を使用しているユーザが位置しているシナリオの情報を、赤外線センサによって取得された温度情報に基づいて取得するように構成された、第２の起動ユニットを含む。
【００１３】
第２の態様、又は、第２の態様の第１の可能な実施手法、又は、第２の態様の第２の可能な実施手法と組み合わせて、第１の態様の第３の可能な実施手法では、第２の取得モジュールは、
シナリオ情報に一致する音声品質プリセット値及びラウドネス利得値をローカルに検索するように構成された、検索ユニット、又は、
シナリオ情報をネットワーク側にアップロードして、シナリオ情報に一致する音声品質プリセット値及びラウドネス利得値をネットワーク側が検索することを可能にするように構成された、アップロードユニットと、
シナリオ情報に一致する、かつ、ネットワーク側によって返された、音声品質プリセット値及びラウドネス利得値を受信するように構成された、受信ユニットとを含む。
【発明の効果】
【００１４】
本発明の実施形態による技術的解決法は、以下の有益な効果を有する。端末がハンズフリー通話を開始した場合、端末が位置しているシナリオの情報を取得し、シナリオ情報に基づいて、端末の音声品質プリセット値及びラウドネス利得値を取得し、取得された音声品質プリセット値及びラウドネス利得値に基づいて、端末の音声品質及びラウドネスをそれぞれ調節することを介して、端末の音声品質及びラウドネスが制御され、ユーザはより良好な音声品質を享受することが可能であり、これにより、ハンズフリー端末のユーザ体験が向上する。
【図面の簡単な説明】
【００１５】
本発明の実施形態における技術的解決法をより明確に説明するために、以下では、実施形態を説明するために必要とされる添付の図面について簡単に紹介する。明らかに、以下の説明における添付の図面は、本発明のいくつかの実施形態を示すものにすぎず、当業者は、これらの添付の図面から、創造的な活動を行うことなく、その他の図面を更に導き出すことが可能である。
【００１６】
【図１】本発明の実施形態による、音声品質及びラウドネスを制御する方法のフローチャートである。
【図２】本発明の実施形態による、音声品質及びラウドネスを制御する方法のフローチャートである。
【図３】本発明の実施形態による、音声品質及びラウドネスを制御する装置の構成概略図である。
【図４】本発明の実施形態による、音声品質及びラウドネスを制御する別の装置の構成概略図である。
【図５】本発明の実施形態による端末の概略図である。
【発明を実施するための形態】
【００１７】
本発明の実施形態の目的、技術的解決法、及び利点をより明確にするために、以下では、本発明の実施形態について、添付の図面を参照して詳細に更に説明する。
【００１８】
図１を参照すると、この実施形態は、以下を含む、音声品質及びラウドネスを制御する方法を提供する。
【００１９】
ステップ１０１：端末がハンズフリー通話を開始した場合、端末が位置しているシナリオの情報を取得する。
【００２０】
ステップ１０２：シナリオ情報に基づいて、端末の音声品質プリセット値及びラウドネス利得値を取得する。
【００２１】
ステップ１０３：取得された音声品質プリセット値及びラウドネス利得値に基づいて、端末の音声品質及びラウドネスをそれぞれ調節する。
【００２２】
必要に応じて、端末が位置しているシナリオの情報を取得することは、
端末のカメラを起動して、端末を使用しているユーザが位置しているシナリオの情報を撮影することを含む。
【００２３】
必要に応じて、端末が位置しているシナリオの情報を取得することは、
端末の赤外線センサを起動して、端末を使用しているユーザが位置しているシナリオの情報を、赤外線センサによって取得された温度情報に基づいて取得することを含む。
【００２４】
必要に応じて、シナリオ情報に基づいて、端末の音声品質プリセット値及びラウドネス利得値を取得することは、
シナリオ情報に一致する音声品質プリセット値及びラウドネス利得値をローカルに検索すること、又は、
シナリオ情報をネットワーク側にアップロードして、シナリオ情報に一致する音声品質プリセット値及びラウドネス利得値をネットワーク側が検索することを可能にし、
シナリオ情報に一致する、かつ、ネットワーク側によって返された、音声品質プリセット値及びラウドネス利得値を受信することを含む。
【００２５】
この実施形態では、端末の音声品質プリセット値及びラウドネス利得値は、スピーカの音声品質プリセット値及びラウドネス利得値、並びに、マイクロフォンの音声品質プリセット値及びラウドネス利得値を含む。
【００２６】
この実施形態は、以下の有益な効果を有する。端末がハンズフリー通話を開始した場合、端末が位置しているシナリオの情報を取得し、シナリオ情報に基づいて、端末の音声品質プリセット値及びラウドネス利得値を取得し、取得された音声品質プリセット値及びラウドネス利得値に基づいて、端末の音声品質及びラウドネスをそれぞれ調節することを介して、端末の音声品質及びラウドネスが制御され、ユーザはより良好な音声品質を享受することが可能であり、これにより、ハンズフリー端末のユーザ体験が向上する。
【００２７】
本発明の一実施形態は、音声品質及びラウドネスを制御する方法を提供する。通話中の音声品質及びラウドネスは、電話、パッド、又はその他のハンドヘルド装置を使用しているユーザに関する、使用習慣、適用シナリオ、及び人体と装置との間の距離などの情報の総合評価に基づいて、自動的に調節されてもよい。図２に示すように、この方法手順は、以下を含む。
【００２８】
ステップ２０１：端末がハンズフリー通話を開始した場合、端末が位置しているシナリオの情報を取得する。
【００２９】
この実施形態では、端末は、ハンズフリー通話を実現することが可能な電話、パッド、又は装置を含み、これについてはここでは特に限定されない。この実施形態では、ハンズフリー通話は、ビデオ通話、及びオーディオ通話を含み、これについてはここでは特に限定されない。
【００３０】
端末がハンズフリー通話を開始した場合、端末が位置しているシナリオ内の雑音が、音声品質におけるいくらかの妨害を引き起こす可能性がある。加えて、異なるシナリオ内にユーザが位置している場合、端末は、異なる利得を要求する。例えば、静かな環境、又は雑音の多い地下鉄駅において、端末は、異なる利得を要求する。従って、この実施形態では、ユーザが位置している環境が、端末利得を調節するための条件として利用される。端末が位置しているシナリオの情報を取得することは、端末のカメラを起動して、端末を使用しているユーザが位置しているシナリオの情報を撮影することを具体的に含む。この実施形態では、端末を使用しているユーザが位置しているシナリオ（場面の中に設定された装飾、音、及び物体など）をカメラが撮影した後、撮影された写真又は音は、データベース内に記憶されたデータと比較され、ユーザが位置しているシナリオの情報が取得される。
【００３１】
この実施形態では、端末が赤外線機能を備えている場合、必要に応じて、端末が位置しているシナリオの情報を取得することは、端末の赤外線センサを起動して、端末を使用しているユーザが位置しているシナリオの情報を、赤外線センサによって取得された温度情報に基づいて取得することを含む。この実施形態において、シナリオ情報を赤外線を介して取得する技術は、従来技術に類似しており、ここでは説明しない。
【００３２】
ステップ２０２：端末とユーザとの間の距離の情報を取得する。
【００３３】
この実施形態では、ユーザが端末のハンズフリー通話機能を開始した場合、端末の音声品質を向上させ、ユーザと端末との間の距離に従って音声品質が調節され得ることを実現する、又は、言い換えると、ユーザが移動した場合、聞かれる音の品質に、ユーザからの変化する距離の影響がないことが可能であることを確実にする。この実施形態では、端末とユーザとの間の距離が、音声品質利得を調節するための条件として更に利用されてもよく、ここで、端末とユーザとの間の距離の情報を取得する多くの方法が存在し、これは、端末上のカメラ又は赤外線センサを使用して、端末とユーザとの間の距離の情報を取得することを含むが、これに限定されない。
【００３４】
この実施形態では、カメラを使用することによって端末とユーザとの間の距離の情報を取得する方法は、端末上のカメラを起動し、端末を使用するユーザにカメラの焦点を合わせ、端末のカメラが焦点を合わせている位置の情報を取得し、位置情報に基づいて端末とユーザとの間の距離情報を計算することを含む。ユーザがハンズフリー通話を開始した場合、端末は、自動的にカメラを起動し、ユーザにカメラの焦点を合わせて、ユーザの画像情報を取得し、カメラが焦点を合わせている位置に基づいて、ユーザと端末との間の距離を計算し、ここで、特定の計算方法は、従来技術に類似しており、ここでは説明しない。
【００３５】
この実施形態では、必要に応じて、端末が赤外線センサを備えている場合、赤外線センサを使用することによってユーザと端末との間の距離の情報を取得することが更に可能であり、ここで、この方法は、端末上の赤外線センサを起動して、端末を使用するユーザを走査し、赤外線センサが赤外線を介してユーザを走査した後のフィードバックの時間を計算し、フィードバック時間に基づいて、端末とユーザとの間の距離情報を計算することを具体的に含む。ユーザがハンズフリー通話を開始した場合、端末は、自動的に赤外線センサを起動し、赤外線を介してユーザを走査し、赤外線がユーザを走査した後のフィードバックの時間を計算し、フィードバック時間に基づいて、ユーザと端末との間の距離を計算し、ここで、特定の計算方法は、従来技術に類似しており、ここでは説明しない。
【００３６】
この実施形態におけるステップ２０２は省略可能であり、実際の手順の間、省略されてもよく、これについてはここでは特に限定されない、ということに留意されたい。
【００３７】
ステップ２０３：距離情報及びシナリオ情報に基づいて、端末の音声品質プリセット値及びラウドネス利得値を取得する。
【００３８】
この実施形態では、データベースが事前に確立される。データベースは、シナリオ情報に対応する音声品質プリセット値及びラウドネス利得値を記憶するために使用される。当然、データベースは、シナリオ情報に、及びユーザと端末との間の距離に対応する、音声品質プリセット値及びラウドネス利得値を更に含んでもよい。周波数応答、エコー、オーディオ雑音除去などのパラメータのプリセット値を含む、音声品質プリセット値は、ＭＩＣが送信する音声品質、及び、スピーカが受信する音声品質を調節するために使用され、ラウドネス利得値は、マイクロフォンが送信するラウドネス、及び、スピーカが受信するラウドネスを調節するために使用される。特定の実施プロセスでは、データベースは、端末上に、又は、ネットワーク側上に記憶されてもよく、これについてはこの実施形態では特に限定されない。
【００３９】
必要に応じて、データベースが端末上に記憶されている場合、シナリオ情報に基づいて、端末の音声品質プリセット値及びラウドネス利得値を取得することは、シナリオ情報に一致する音声品質プリセット値及びラウドネス利得値をローカルに検索することを含む。
【００４０】
必要に応じて、データベースがネットワーク側上に記憶されている場合、シナリオ情報に基づいて、端末の音声品質プリセット値及びラウドネス利得値を取得することは、シナリオ情報をネットワーク側にアップロードして、シナリオ情報に一致する音声品質プリセット値及びラウドネス利得値をネットワーク側が検索することを可能にし、シナリオ情報に一致する、かつ、ネットワーク側によって返された、音声品質プリセット値及びラウドネス利得値を受信することを含む。
【００４１】
この実施形態では、ステップ２０２が実行された場合、具体的には、ユーザと端末との間の距離の情報、及び、端末が位置しているシナリオ情報が、音声品質プリセット値及びラウドネス利得値を取得するための２つの条件として使用される。特定の取得方法は、シナリオ情報に基づいて音声品質プリセット値及びラウドネス利得値を取得する方法と同様に、データベース内の、距離情報及びシナリオ情報に対応する音声品質プリセット値及びラウドネス利得値をローカルに検索すること、又は、距離情報及びシナリオ情報に対応する音声品質プリセット値及びラウドネス利得値をネットワーク側から取得することである。この実施形態では、距離情報及びシナリオ情報に対応する音声品質プリセット値及びラウドネス利得値を取得する方法を特に限定しない。
【００４２】
この実施形態では、通話に関与する両者によって受信される音声品質を向上させるために、端末のスピーカ（ｓｐｅａｋｅｒ）の利得が調節されるだけでなく、マイクロフォンの利得も更に調節されてもよい。従って、この実施形態では、音声品質プリセット値及びラウドネス利得値は、スピーカの音声品質プリセット値及びラウドネス利得値と、マイクロフォンの音声品質プリセット値及びラウドネス利得値とを含む。もちろん、マイクロフォンの利得値は調節されなくてもよく、これについてはこの実施形態では特に限定されない。
【００４３】
この実施形態では、ユーザが位置しているシナリオ、及びユーザと端末との間の距離が異なる場合、利得は異なる。端末は、寝室、又はオフィス、又は地下鉄などの異なるシナリオに従って、音声品質及びラウドネスの出力を自動的に調節して、最適な音声品質を達成し、これにより、ユーザは、ハンズフリー通話を使用する際に、より良好な体験を享受することが可能になる。
【００４４】
ステップ２０４：取得された音声品質プリセット値及びラウドネス利得値に基づいて、端末の音声品質及びラウドネスをそれぞれ調節する。
【００４５】
この実施形態では、端末の音声品質プリセット値及びラウドネス利得値が、ユーザが位置しているシナリオの情報、及び、ユーザと端末との間の距離の情報に基づいて取得され、取得された音声品質プリセット値及びラウドネス利得値に基づいて、スピーカ又はマイクロフォンの音声品質及びラウドネスが調節され、これにより、端末は、最適な音声品質を提供する。具体的には、取得された音声品質プリセット値に基づいて、端末の音声品質を調節することは、音声品質プリセット値に基づいて、周波数応答、エコー、オーディオ応答及びエコー、並びに、オーディオ雑音除去などのパラメータを増加又は減少させることを含む。取得されたラウドネス利得値に基づいて、端末のラウドネスを調節することは、利得値に従って、ラウドネスを大きくすること、又は小さくすることを含む。
【００４６】
音声品質プリセット値及びラウドネス利得値に基づいて、スピーカ又はマイクロフォンの音声品質及びラウドネスを調節する方法は、従来技術に類似しており、これについてはここでは説明しない。
【００４７】
この実施形態は、以下の有益な効果を有する。端末がハンズフリー通話を開始した場合、端末が位置しているシナリオの情報を取得し、シナリオ情報に基づいて、端末の音声品質プリセット値及びラウドネス利得値を取得し、取得された音声品質プリセット値及びラウドネス利得値に基づいて、端末の音声品質及びラウドネスをそれぞれ調節することを介して、端末の音声品質及びラウドネスが制御され、ユーザはより良好な音声品質を享受することが可能であり、これにより、ハンズフリー端末のユーザ体験が向上する。
【００４８】
図３を参照すると、本発明の一実施形態は、第１の取得モジュール３０１と、第２の取得モジュール３０２と、調節モジュール３０３とを含む、音声品質及びラウドネスを制御する装置を提供する。
【００４９】
第１の取得モジュール３０１は、端末がハンズフリー通話を開始した場合に、端末が位置しているシナリオの情報を取得するように構成される。
第２の取得モジュール３０２は、シナリオ情報に基づいて、端末の音声品質及びラウドネス利得値を取得するように構成される。
調節モジュール３０３は、取得された音声品質プリセット値及びラウドネス利得値に基づいて、端末の音声品質及びラウドネスをそれぞれ調節するように構成される。
【００５０】
必要に応じて、図４を参照すると、第１の取得モジュール３０１は、
端末のカメラを起動して、端末を使用しているユーザが位置しているシナリオの情報を撮影するように構成された、第１の起動ユニット３０１ａを含む。
【００５１】
必要に応じて、図４を参照すると、第１の取得モジュール３０１は、
端末の赤外線センサを起動して、端末を使用しているユーザが位置しているシナリオの情報を、赤外線センサによって取得された温度情報に基づいて取得するように構成された、第２の起動ユニット３０１ｂを含む。
【００５２】
必要に応じて、第２の取得モジュール３０２は、
シナリオ情報に一致する音声品質プリセット値及びラウドネス利得値をローカルに検索するように構成された、検索ユニット３０２ａ、又は、
シナリオ情報をネットワーク側にアップロードして、シナリオ情報に一致する音声品質プリセット値及びラウドネス利得値をネットワーク側が検索することを可能にするように構成された、アップロードユニット３０２ｂと、
シナリオ情報に一致する、かつ、ネットワーク側によって返された、音声品質プリセット値及びラウドネス利得値を受信するように構成された、受信ユニット３０２ｃとを含む。
【００５３】
この実施形態では、端末の音声品質プリセット値及びラウドネス利得値は、スピーカの音声品質プリセット値及びラウドネス利得値、並びに、マイクロフォンの音声品質プリセット値及びラウドネス利得値を含む。
【００５４】
この実施形態は、以下の有益な効果を有する。端末がハンズフリー通話を開始した場合、端末が位置しているシナリオの情報を取得し、シナリオ情報に基づいて、端末の音声品質プリセット値及びラウドネス利得値を取得し、取得された音声品質プリセット値及びラウドネス利得値に基づいて、端末の音声品質及びラウドネスをそれぞれ調節することを介して、端末の音声品質及びラウドネスが制御され、ユーザはより良好な音声品質を享受することが可能であり、これにより、ハンズフリー端末のユーザ体験が向上する。
【００５５】
音声品質及びラウドネスを制御する装置を提供する実施形態は、説明のための機能モジュール分割のみを使用しているということに留意されたい。実際には、必要に応じて、機能は、実施のために、異なる機能モジュールに割り当てられてもよい。具体的には、装置の内部構成は、上述の機能の全て又は一部を実施するために、様々な機能モジュールに分割される。
【００５６】
加えて、実施形態で提供される、音声品質及びラウドネスを制御する装置と、音声品質及びラウドネスを制御する方法とは、同じ概念に属する。特定の実施プロセスの詳細については、方法実施形態を参照されたい。特定の実施プロセスについては、ここでは説明しない。
【００５７】
図５を参照すると、この実施形態は、プロセッサ４００を含む端末を提供する。
【００５８】
プロセッサ４００は、端末がハンズフリー通話を開始した場合、端末が位置しているシナリオの情報を取得し、シナリオ情報に基づいて、端末の音声品質プリセット値及びラウドネス利得値を取得し、取得された音声品質プリセット値及びラウドネス利得値に基づいて、端末の音声品質及びラウドネスをそれぞれ調節するように構成される。
【００５９】
図５を参照すると、端末は、スピーカ５００、及びマイクロフォン６００を含む。必要に応じて、端末は、カメラ７００、及び／又は赤外線センサ８００を更に含む。
【００６０】
必要に応じて、端末が位置しているシナリオの情報を取得することは、
端末のカメラを起動して、端末を使用しているユーザが位置しているシナリオの情報を撮影すること、又は、
端末の赤外線センサを起動して、端末を使用しているユーザが位置しているシナリオの情報を、赤外線センサによって取得された温度情報に基づいて取得することを含む。
【００６１】
必要に応じて、シナリオ情報に基づいて、端末の音声品質プリセット値及びラウドネス利得値を取得することは、
シナリオ情報に一致する音声品質プリセット値及びラウドネス利得値をローカルに検索すること、又は、
シナリオ情報をネットワーク側にアップロードして、シナリオ情報に一致する音声品質プリセット値及びラウドネス利得値をネットワーク側が検索することを可能にし、
シナリオ情報に一致する、かつ、ネットワーク側によって返された、音声品質プリセット値及びラウドネス利得値を受信することを含む。
【００６２】
この実施形態では、端末の音声品質プリセット値及びラウドネス利得値は、スピーカ５００の音声品質プリセット値及びラウドネス利得値、並びに、マイクロフォン６００の音声品質プリセット値及びラウドネス利得値を含む。
【００６３】
この実施形態は、以下の有益な効果を有する。端末がハンズフリー通話を開始した場合、端末が位置しているシナリオの情報を取得し、シナリオ情報に基づいて、端末の音声品質プリセット値及びラウドネス利得値を取得し、取得された音声品質プリセット値及びラウドネス利得値に基づいて、端末の音声品質及びラウドネスをそれぞれ調節することを介して、端末の音声品質及びラウドネスが制御され、ユーザはより良好な音声品質を享受することが可能であり、これにより、ハンズフリー端末のユーザ体験が向上する。
【００６４】
本発明の前述の実施形態の順序番号は、説明の目的のためのものにすぎず、実施形態の優先順位を示すものではない。
【００６５】
当業者は、実施形態における方法のステップの全て又は一部が、ハードウェア、又は関連するハードウェアに指示するプログラムによって実施されてもよいということを理解するであろう。プログラムは、コンピュータ読み取り可能な記憶媒体内に記憶されてもよい。記憶媒体は、読み取り専用メモリ、磁気ディスク、及び光ディスクを含んでもよい。
【００６６】
前述の説明は、本発明の例示的実施形態にすぎず、本発明を限定することを意図するものではない。本発明の精神及び原理内で導き出される、いかなる修正、等価な置換、又は改良も、本発明の保護範囲内に入る。
【図１】
2014090409.tif 000003
【図２】
2014090409.tif 000004
【図３】
2014090409.tif 000005
【図４】
2014090409.tif 000006
【図５】
2014090409.tif 000007
【手続補正書】
【提出日】平成25年11月6日(2013.11.6)
【手続補正１】
【補正対象書類名】明細書
【補正対象項目名】００１３
【補正方法】変更
【補正の内容】
【００１３】
第２の態様、又は、第２の態様の第１の可能な実施手法、又は、第２の態様の第２の可能な実施手法と組み合わせて、第２の態様の第３の可能な実施手法では、第２の取得モジュールは、
シナリオ情報に一致する音声品質プリセット値及びラウドネス利得値をローカルに検索するように構成された、検索ユニット、又は、
シナリオ情報をネットワーク側にアップロードして、シナリオ情報に一致する音声品質プリセット値及びラウドネス利得値をネットワーク側が検索することを可能にするように構成された、アップロードユニットと、
シナリオ情報に一致する、かつ、ネットワーク側によって返された、音声品質プリセット値及びラウドネス利得値を受信するように構成された、受信ユニットとを含む。
【手続補正２】
【補正対象書類名】明細書
【補正対象項目名】００４９
【補正方法】変更
【補正の内容】
【００４９】
第１の取得モジュール３０１は、端末がハンズフリー通話を開始した場合に、端末が位置しているシナリオの情報を取得するように構成される。
第２の取得モジュール３０２は、シナリオ情報に基づいて、端末の音声品質プリセット値及びラウドネス利得値を取得するように構成される。
【手続補正３】
【補正対象書類名】特許請求の範囲
【補正対象項目名】全文
【補正方法】変更
【補正の内容】
【特許請求の範囲】
【請求項１】
端末がハンズフリー通話を開始した場合、前記端末が位置しているシナリオの情報を取得し、
前記シナリオ情報に基づいて、前記端末の音声品質プリセット値及びラウドネス利得値を取得し、
取得された音声品質プリセット値及びラウドネス利得値に基づいて、前記端末の音声品質及びラウドネスをそれぞれ調節すること
を含む、音声品質及びラウドネスを制御する方法。
【請求項２】
前記端末が位置しているシナリオの情報を取得することは、
前記端末のカメラを起動して、前記端末を使用しているユーザが位置しているシナリオの情報を撮影すること
を含む、請求項１に記載の方法。
【請求項３】
前記端末が位置しているシナリオの情報を取得することは、
前記端末の赤外線センサを起動して、前記端末を使用しているユーザが位置しているシナリオの情報を、前記赤外線センサによって取得された温度情報に基づいて取得すること
を含む、請求項１に記載の方法。
【請求項４】
前記シナリオ情報に基づいて、前記端末の音声品質プリセット値及びラウドネス利得値を取得することは、
前記シナリオ情報に一致する音声品質プリセット値及びラウドネス利得値をローカルに検索すること、又は、
前記シナリオ情報をネットワーク側にアップロードして、前記シナリオ情報に一致する音声品質プリセット値及びラウドネス利得値を前記ネットワーク側が検索することを可能にし、
前記シナリオ情報に一致する、かつ、前記ネットワーク側によって返された、前記音声品質プリセット値及び前記ラウドネス利得値を受信すること
を含む、請求項１〜３のいずれか一項に記載の方法。
【請求項５】
前記端末の音声品質プリセット値及びラウドネス利得値は、スピーカの音声品質プリセット値及びラウドネス利得値、並びに、マイクロフォンの音声品質プリセット値及びラウドネス利得値を含む、請求項１〜４のいずれか一項に記載の方法。
【請求項６】
端末がハンズフリー通話を開始した場合に、前記端末が位置しているシナリオの情報を取得するように構成された、第１の取得モジュールと、
前記シナリオ情報に基づいて、前記端末の音声品質プリセット値及びラウドネス利得値を取得するように構成された、第２の取得モジュールと、
取得された音声品質プリセット値及びラウドネス利得値に基づいて、前記端末の音声品質及びラウドネスをそれぞれ調節するように構成された、調節モジュールと
を備える、音声品質及びラウドネスを制御する装置。
【請求項７】
前記第１の取得モジュールは、
前記端末のカメラを起動して、前記端末を使用しているユーザが位置しているシナリオの情報を撮影するように構成された、第１の起動ユニット
を備える、請求項６に記載の装置。
【請求項８】
前記第１の取得モジュールは、
前記端末の赤外線センサを起動して、前記端末を使用しているユーザが位置しているシナリオの情報を、前記赤外線センサによって取得された温度情報に基づいて取得するように構成された、第２の起動ユニット
を備える、請求項６に記載の装置。
【請求項９】
前記第２の取得モジュールは、
前記シナリオ情報に一致する音声品質プリセット値及びラウドネス利得値をローカルに検索するように構成された、検索ユニット、又は、
前記シナリオ情報をネットワーク側にアップロードして、前記シナリオ情報に一致する音声品質プリセット値及びラウドネス利得値を前記ネットワーク側が検索することを可能にするように構成された、アップロードユニットと、
前記シナリオ情報に一致する、かつ、前記ネットワーク側によって返された、前記音声品質プリセット値及び前記ラウドネス利得値を受信するように構成された、受信ユニットと
を備える、請求項６〜８のいずれか一項に記載の装置。
【請求項１０】
前記端末の音声品質プリセット値及びラウドネス利得値は、スピーカの音声品質プリセット値及びラウドネス利得値、並びに、マイクロフォンの音声品質プリセット値及びラウドネス利得値を含む、請求項６〜９のいずれか一項に記載の装置。
【手続補正４】
【補正対象書類名】図面
【補正対象項目名】図２
【補正方法】変更
【補正の内容】
【図２】
2014090409.tif 000008
【手続補正５】
【補正対象書類名】図面
【補正対象項目名】図４
【補正方法】変更
【補正の内容】
【図４】
2014090409.tif 000009
【外国語明細書】
2014090409000001.pdf